【事件の表示】
　特許第２７３９２０４号「ファクシミリ受信機」の特許に対する特許異議の申立てについて、次のとおり決定する。
【結論】
　訂正を認める。
　特許第２７３９２０４号の特許を維持する。
【理由】
Ｉ　手続の経緯
　本件における手続の経緯は次のとおりである。
特許出願　　　　　昭和６２年９月３０日
特許権設定登録　　平成１０年１月２３日
特許異議の申立　　平成１０年１０月１５日
取消理由通知　　　平成１０年１２月１５日
訂正請求　　　　　平成１１年３月５日
訂正拒絶理由通知　平成１１年６月１４日
手続補正　　　　　平成１１年６月１４日
ＩＩ訂正請求の適否についての判断
１．手続補正の適否
　上記手続補正は、訂正明細書の特許請求の範囲を減縮すると共に、これと整合するよう訂正請求書の記載内容を補正するものであるから、特許法第１３１条第２項で規定する請求の要旨の変更には当たらない。
２．訂正請求の内容
　上記の手続補正がなされた訂正請求は、別添「訂正の要旨」に示すとおりの特許請求の範囲の訂正を求めるものである。
３．訂正の目的の適否、明細書記載事項からの逸脱及び拡張・変更の存否
　上記訂正は、特許請求の範囲中の「記録制御手段」の構成を更に限定するものであるから、特許請求の範囲の減縮を目的とする訂正に該当する。
　また、上記記録制御部を限定する事項は、明細書の第６頁１〜９行（特許公報第２ページ４欄２７〜３４行）及び第３図に記載されているから、明細書又は図面に記載された範囲内のもので、実質的に特許請求の範囲を拡張し又は変更するものでもない。
４．独立特許要件の判断
　（１）訂正後の特許請求の範囲に係る発明は、訂正明細書の特許請求の範囲に記載される次のとおりのものである。
「シート状の記録紙を用いるファクシミリ受信機において、
　受信画像の各ページの副走査方向の長さをそれぞれ検出する長さ検出手段と、
　受信画像を各ページ毎に蓄積する蓄積手段と、
　前記蓄積手段に蓄積された受信画像を記録紙に記録する記録手段と、
　前記長さ検出手段により検出された受信画像のあるページの副走査方向の長さが前記記録紙の副走査方向の長さより短く、かつ前記あるページの副走査方向の長さに前記長さ検出手段により検出された次ページの副走査方向の長さを加えた長さが前記記録紙の副走査方向の長さより短い場合は、前記あるページの画像を前記次ページの画像とともに同一の記録紙に記録し、長い場合は、前記次ページの画像を単独で記録紙に記録するとともに、前記あるページの副走査方向の長さに前記長さ検出手段により検出された前記次ページの次のぺージの副走査方向の長さを加えた長さが前記記録紙の副走査方向の長さより短くなるときは、前記あるページの画像を前記次ページの次のページの画像とともに同一の記録紙に記録する記録制御手段と、
を具備することを特徴とするファクシミリ受信機。」
（２）上記訂正後の特許請求の範囲に係る発明（以下本件発明という）は、訂正明細書の発明の詳細な説明に記載されるように、従来のシート状記録紙を用いるファクシミリ受信機では、受信画が記録紙よりも短い場合（例えばＡ４サイズの記録紙に対し受信画がＡ５サイズである場合）でも、１枚の記録紙を使って記録を行うので記録紙が無駄になるという問題点があったので、その解決のために上記特許請求の範囲記載の構成を採用したものであり、その要点は、上記記録制御手段により、受信画像と記録紙との副走査方向の長さの関係に応じ次の記録動作、すなわち、
Ａ．受信画像のあるページの副走査方向の長さが記録紙の副走査方向の長さより短く、かつ上記あるページの長さに次ページの副走査方向の長さを加えた長さが上記記録紙の長さより短い場合は、上記あるページの画像を次ページの画像とともに同一の記録紙に記録し、
Ｂ．長い場合は、上記次ページの画像を単独で記録紙に記録するとともに、上記あるページの副走査方向の長さに上記次ページの次のページの副走査方向の長さを加えた長さが上記記録紙の副走査方向の長さより短くなるときは、上記あるページの画像を上記次ページの次のページの画像とともに同一の記録紙に記録する
という記録動作を行い得るようにしたものといえる。
（３）然るに、前記取消理由通知で引用した特願昭６２−８８３号（特開昭６３−１６９１６４号）の願書に最初に添付した明細書または図面（異議申立の甲第１号証、以下先願明細書という）には、カット紙（シート状記録紙）を用いるファクシミリ装置において、記録紙の無駄を少なくするために、本件発明の上記Ａの記録動作を行い得るようにすることが開示されていると認め得るが（先願明細書の［発明の目的］、［実施例］の項及び第３図参照）、本件発明の上記Ｂの記録動作を行い得るようにすることは開示されていない。本件発明の上記Ｂの記録動作は、要するに、副走査方向での記録紙の長さに対する受信画像の各ページの長さが、あるページ単独では短く、次ページと合わせると長い場合（例えば、前記訂正明細書記載のサイズ例でいえば、Ａ４サイズの記録紙に対し、あるページがＡ５サイズで次ページがＡ４サイズの場合）、次ページを単独で記録紙に記録し、上記あるページについては、次ページの次のページと合わせた長さをみて、記録紙の長さより短いときは、上記次ページの次のページと合わせて同一の記録紙に記録するようにしたものといえるところ、先願明細書記載のものは、第２図（１）、（２）のフローチャート及びその説明（特に第２ページ左下欄１４行〜同頁右下欄８行）から明らかなように、記録紙の長さに対する受信画像の各ページの長さが上記と同様のものである場合、記録紙より短いあるページの画像を単独で記録紙に記録してしまい、次いで、次ページとその次のページとを合わせた長さをみるものであるから、本件発明の上記Ｂの記録動作を行うものではなく、記録紙の無駄を少なくする程度にも相応の違いが生ずるものと認められる。
　そうすると、本件発明と先願明細書記載の発明とが同一の発明であるとはいえず、したがって、本件発明が特許法第２９条の２で規定する特許を受けることができない発明に該当するものとはいえない。
　また、他に本件発明が特許を受けることができないものであるとすべき理由は見出せない。
　したがって、本件発明が特許出願の際、独立して特許を受けることができないものであるとすることはできない。
５．まとめ
　以上のとおりであるから、本件で請求する訂正は、特許法第１２０条の４第２項、及び同条第３項で準用する同法第１２６条第２〜４項の規定に適合するものである。
ＩＩＩ異議申立についての判断
　本件異議申立の理由は、訂正前の特許請求の範囲に係る発明について、同発明は甲第１号証（上記先願明細書）に記載された発明と同一であるから、同発明に係る特許は特許法第２９条の２の規定に違反しているとするものであるところ、この申立理由は、訂正後の本件発明については、前記ＩＩ、４．で判断したとおり理由がないものである。
ＩＶ　むすび
　以上のとおり、本件において請求する訂正は適法なものであり、また訂正後の特許請求の範囲に係る本件発明の特許について、本件異議申立は理由がないものである。
　また、他に同特許を取り消すべき理由を発見しない。
　よって、結論のとおり決定する。
【異議決定日】
平成１１年７月１０日（１９９９．７．１０）
【訂正の要旨】
　　　　　訂正の要旨
　特許請求の範囲中の「前記長さ検出手段により検出された受信画像のあるぺ−ジの副走査方向の長さが前記記録紙の副走査方向の長さより短く、かつ前記あるぺージの副走査方向の長さに前記長さ検出手段により検出された少なくとも１つの後続のページの副走査方向の長さを加えた長さが前記記録紙の副走査方向の長さより短い場合は、前記あるページの画像とともに前記後続のページの画像を同一の記録紙に記録する記録制御手段」を特許請求の範囲の減縮を目的として「前記長さ検出手段により検出された受信画像のあるページの副走査方向の長さが前記記録紙の副走査方向の長さより短く、かつ前記あるページの副走査方向の長さに前記長さ検出手段により検出された
次ページ
とともに
長い場合は、前記次ページの画像を単独で記録紙に記録するとともに、前記あるページの副走査方向の長さに前記長さ検出手段により検出された前記次ページの次のページの副走査方向の長さを加えた長さが前記記録紙の副走査方向の長さより短かくなるときは、前記あるページの画像を前記次ページの次のページの画像とともに同一の
（５４）【発明の名称】
ファクシミリ受信機
（５７）【特許請求の範囲】
　シート状の記録紙を用いるファクシミリ受信機において、
　受信画像の各ページの副走査方向の長さをそれそれ検出する長さ検出手段と、
　受信画像を各ページ毎に蓄積する蓄積手段と、
　前記蓄積手段に蓄積された受信画像を記録紙に記録する記録手段と、
　前記長さ検出手段により検出された受信画像のあるページの副走査方向の長さが前記記録紙の副走査方向の長さより短く、かつ前記あるページの副走査方向の長さに前記長さ検出手段により検出された
次ページ
を
とともに
長い場合は、前記次ページの画像を単独で記録紙に記録するとともに、前記あるページの副走査方向の長さに前記長さ検出手段により検出された前記次ページの次のページの副走査方向の長さを加えた長さが前記記録紙の副走査方向の長さより短かくなるときは、前記あるページの画像を前記次ページの次のページの画像とともに同一の
　を具備することを特徴とするファクシミリ受信機。
【発明の詳細な説明】
　〔発明の目的〕
　（産業上の利用分野）
　本発明は、シート状の記録紙を用いるファクシミリ受信機に関する。
　（従来の技術）
　従来、このようなファクシミリ受信機では、１ページ分の受信画を１枚のシート状の記録紙に記録するように構成されていた。したがって、受信画の１ページ分が記録紙よりも短い場合でも、１枚の記録紙が使用れ、へ記録紙が無駄に使用されていた。たとえば、Ａ４サイズの記録紙を用いる受信機において、受信画がＡ５サイズであると記録紙のうち半分が無駄になっていた。
　（発明が解決しようとする問題点）
　このように、従来のファクシミリ受信機では、記録紙よりも短い受信画でも、１枚の記録紙に記録されるので、記録紙の無駄が生じるという問題点があった。
　本発明は、このような問題点に鑑みてなされたもので、その目的とするところは、記録紙をできる限り有効に使用できるファクシミリ受信機を提供することにある。
　〔発明の構成〕
　（問題を解決するための手段）
　上記目的を達成するため、本発明は、シート状の記録紙を用いるファクシミリ受信機において、受信画像の各ページの副走査方向の長さをそれそれ検出する長さ検出手段と、受信画像を各ページ毎に蓄積する蓄積手段と、前記蓄積手段に蓄積された受信画像を記録紙に記録する記録手段と、前記長さ検出手段により検出された受信画像のあるページの副走査方向の長さが前記記録紙の副走査方向の長さより短く、かつ前記あるページの副走査方向の長さに前記長さ検出手段により検出された少なくとも１つの後続のページの副走査方向の長さを加えた長さが前記記録紙の副走査方向の長さより短い場合は、前記あるページの画像とともに前記後続のページの画像を同一の記録紙に記録し、前記記録紙の副走査方向の長さを越える場合は、前記後続のページの画像を単独で記録紙に記録する記録制御手段とを具備することを特徴とする。
　（作用）
　長さ検出手段により検出された受信画像のあるページの副走査方向の長さが記記録紙の副走査方向の長さより短く、かつこのあるページの副走査方向の長さに長さ検出手段により検出された少なくとも１つの後続のページの副走査方向の長さを加えた長さが記録紙の副走査方向の長さより短い場合は、このあるページの画像とともに後続のページの画像を同一の記録紙に記録し、記録紙の副走査方向の長さを越える場合は、後続のページの画像を単独で記録紙に記録する。
　（実施例）
　以下、図面にもとづいて、本発明の一実施例を詳細に説明する。第１図は、本発明の一実施例に係わるファクシミリ受信機の構成を示すブロック図である。同図に示されるように、このファクシミリ受信機は、入力端子１、受信制御部２、長さ検出部３、蓄積部４、記録部５、記録制御部６から成る。
　入力端子１から受信画信号が入力される。受信制御部２は、受信画信号の受信制御を行う。長さ検出部３は、受信画信号の１ページ分の副走査方向の長さを検出する。ここで、長さ検出部３は、
　１）送信側からページ単位で送られてくる受信画像のライン数を計数することにより１ページ分の副走査方向の長さを検出する
　２）送信側から例えば非標準装置設定信号に含めて送られてきた原稿サイズ情報を解析することにより１ページ分の副走査方向の長さを検出する
　等の周知の手法を採用して構成することができる。
　蓄積部４は、受信画信号を蓄積する。記録部５は、蓄積部４に蓄積された受信画信号を、記録制御部６の指示に応じて記録紙に記録する。記録制御部６は、長さ検出部３から、受信画信号の１ページ分の副走査方向の長さに関する情報をうけると、この長さと記録紙の長さを比較し、受信画信号の１ページ分の副走査方向の長さの方が記録紙の長さよりも短く、複数ページの受信画信号を合わせても記録紙の長さよりも短い場合、複数ページの受信画信号を１枚の記録紙に記録させるように、記録部５を制御する。また、複数ページの受信画信号の副走査方向の長さが記録紙の長さをこえる場合には、それぞれのページ分の受信画信号を異なる記録紙に記録させるように、記録部５を制御する。
　つぎに、本実施例の動作について説明する。入力端子１から入力される受信画信号は、受信制御部２を介して長さ検出部３によって、受信画の１ページ分の長さが検出され、受信画信号は、蓄積部４に蓄積される。第２図（ａ）は、入力端子１から入力される受信画Ａ，Ｂを示す。第２図（ｂ）は、蓄積部４での蓄積状態を示す。この場合、受信画Ａ，Ｂを合わせた副走査方向の長さより、記録紙７の長さの方が長いので、第２図（ｃ）に示されるように、同一の記録紙７に受信画Ａ，Ｂが記録されるように、記録制御部６は、記録部５を制御する。
　同様に、第３図に示すように、受信画Ａ，Ｂ，Ｃがある場合、第３図（ｂ）に示されるように蓄積部４でまず受信画Ａ，Ｃが蓄積されたのち、第３図（ｃ）で示されるように受信画Ｃのみが、まず記録紙８ａに記録される。しかるのち、受信画Ｂが蓄積部４に蓄積され（第３図（ｂ））、受信画Ａ，Ｂを合わせた長さが記録紙８ｂの長さより短いので、同一の記録紙８ｂに受信画Ａ，Ｂが記録される。
　かくして、本実施例によれば、複数の受信画の副走査方向の合成した長さが、記録紙の長さよりも短い場合には、同一の記録紙に記録されるようになるので、記録紙の無駄をなくすことができる。
　とくに、主走査幅が同じで副走査方向の長さが異なる記録紙（たとえばＡ４版とＡ５版）が、同時に二つ以上装着できるファクシミリ受信機において、短い紙（Ａ５版）が、紙欠になったときに、長い方の紙（Ａ４版）に記録を行う場合に、Ａ５版２枚分の受信画をＡ４版１枚の記録紙に記録することができる。
　なお、本実施例の説明では、２つの受信画を１枚の記録紙に記録させる場合について説明を行ったが、３つ以上の受信画を１枚の記録紙に記録できることも無論可能である。
　〔発明の効果〕
　以上、詳細に説明したように、本発明によれば記録紙をできる限り有効に使用できるファクシミリ受信機を提供することができる。
【図面の簡単な説明】
　第１図は、本発明の一実施例に係わるファクシミリ受信機の構成を示すブロック図、第２図および第３図は、本実施例において入力される受信画と、蓄積部４における蓄積状態と、記録部５における記録状態を示す図である。
　３…長さ検出部、４…蓄積部、
　５…記録繰部、６…記録制御部。